(57)【要約】【課題】 ボトル本体と把手とを確実に固定することで、その取り扱い性を向上させる。【解決手段】把手付ボトル容器１は、ボトル本体１０に把手２０を取り付けたものである。把手２０は、ボトル本体１０の口部１４に、このボトル本体１０の径方向外方に向けて延在するように装着された第１装着部２１と、ボトル本体１０の底部１５において、接地面１５ｂよりも径方向内方に位置する部分に、径方向外方に向けて延在するように装着された第２装着部２２と、第１、第２装着部２１、２２の各径方向外方端部を連結する取手部２３とを備えている。底部１５において、接地面１５ｂよりも径方向内方に位置する部分に係合突起１６が突設され、この係合突起１６に第２装着部２２が嵌合している。【選択図】図１
2008133024.tif 000002
【特許請求の範囲】
【請求項１】
形成されたボトル本体に、把手が装着された把手付ボトル容器であって、
前記把手は、
前記ボトル本体の口部に、このボトル本体の径方向外方に向けて延在するように装着された第１装着部と、
前記ボトル本体の底部において、接地面よりも径方向内方に位置する部分に、前記径方向外方に向けて延在するように装着された第２装着部と、
これらの第１、第２装着部の各径方向外方端部を連結する取手部と、
を備えることを特徴とする把手付ボトル容器。
【請求項２】
前記取手部の少なくとも一部は、前記ボトル本体の胴部外面に支持されていることを特徴とする請求項１に記載の把手付ボトル容器。
【請求項３】
前記胴部の外周面には、このボトルの中心軸線方向に沿って延びる係合溝が形成され、該係合溝に前記取手部が係合していることを特徴とする請求項２に記載の把手付ボトル容器。
【請求項４】
前記底部において、接地面よりも径方向内方に位置する部分には、このボトルの中心軸線方向外方に向けて小径部と大径部とがこの順に連結された係合突起が突設され、前記第２装着部には、前記係合突起の前記小径部が嵌合する第１嵌合孔が形成されていることを特徴とする請求項１乃至３のいずれかに記載の把手付ボトル容器。
【請求項５】
前記第２装着部には、前記第１嵌合孔よりも前記取手部側に、この第１嵌合孔に連なる第２嵌合孔が形成され、該第２嵌合孔の内径は、前記大径部よりも大きいことを特徴とする請求項４に記載の把手付ボトル容器。
【発明の詳細な説明】
【技術分野】
【０００１】
本発明は、あらかじめ形成された合成樹脂製のボトル本体に把手が取り付けられた把手付ボトル容器に関する。
【背景技術】
【０００２】
従来、飲料等を収容する容器として、例えば２軸延伸ブロー成形することによって形成されたボトル容器が広く使用されている。このようなボトル容器では、内容物の注ぎ易さや持ち運び易さ等といった取り扱い性を向上させるために、例えば特許文献１などに示されるような把手付ボトルが提案されている。
なお、特許文献１に記載の把手付ボトルでは、円筒状をなすボトル容器に、そのボトル容器の口部に嵌め込ませて取り付ける弾着帯と、ボトル容器の胴部に嵌合する円形或いはＣ型状をなす嵌合帯（以下、嵌合部とする）と、これらの弾着帯と嵌合部とを連結する取手部と、を備えた把手が装着されている。
【特許文献１】実用新案登録第２５６０２３９号公報
【発明の開示】
【発明が解決しようとする課題】
【０００３】
しかしながら、前記従来の把手付ボトル容器では、取手部を把持してボトル容器を持ち上げたとき、前記嵌合部が胴部の外周面上を滑って把手に対してボトル本体が不安定になるおそれがあった。
【０００４】
本発明は、上述する問題点に鑑みてなされたもので、ボトル本体と把手とを確実に固定することで、その取り扱い性を向上させる把手付ボトル容器を提供することを目的とする。
【課題を解決するための手段】
【０００５】
上記目的を達成するため、本発明に係る把手付ボトル容器は、形成されたボトル本体に、把手が装着された把手付ボトル容器であって、把手は、ボトル本体の口部に、このボトル本体の径方向外方に向けて延在するように装着された第１装着部と、ボトル本体の底部において、接地面よりも径方向内方に位置する部分に、径方向外方に向けて延在するように装着された第２装着部と、これらの第１、第２装着部の各径方向外方端部を連結する取手部とを備えることを特徴としている。
本発明では、把手が前述のように構成されて第２装着部があることから、取手部を持ってボトル本体を持ち上げたときに、このボトル本体をその底部側から第２装着部で支持することが可能になり、第１、第２装着部の間でボトル本体の重心位置がぐらつくのを抑えることができる。したがって、ボトル本体を把手に対して安定させることが可能になり、この把手付ボトル容器の取り扱い性が向上される。
【０００６】
また、本発明に係る把手付ボトル容器では、取手部の少なくとも一部は、ボトル本体の胴部外面に支持されていることが好ましい。
本発明では、胴部外面に接する取手部は、胴部によって支持されることになり、取手部を持ってボトル本体を持ち上げた際に、取手部に作用するボトル本体の径方向外方に向けた曲げ変形、及び第１、第２装着部に作用するボトル本体の中心軸線方向下方に向けた曲げ変形を抑制することができる。したがって、把手全体の肉厚を薄くして軽量化を図っても、この把手が破損し易くなるのを防ぐことができる。
【０００７】
また、本発明に係る把手付ボトル容器では、胴部の外周面には、このボトルの中心軸線方向に沿って延びる係合溝が形成され、係合溝に取手部が係合していることが好ましい。
本発明では、胴部と取手部との接触面積を十分に確保することが可能になり、前述した作用効果がより一層確実に奏効されることになる。
【０００８】
また、本発明に係る把手付ボトル容器では、底部において、接地面よりも径方向内方に位置する部分には、このボトルの中心軸線方向外方に向けて小径部と大径部とがこの順に連結された係合突起が突設され、第２装着部には、係合突起の小径部が嵌合する第１嵌合孔が形成されていることが好ましい。
本発明では、把手の第２装着部をボトル本体の係合突起に嵌合することで、取手部を持ってボトル本体を持ち上げて、このボトル本体を傾けたときに、把手に対してボトル本体が不安定になることを防ぐことが可能になり、把手をボトル本体の底部に確実に固定させることができる。
【０００９】
また、本発明に係る把手付ボトル容器では、第２装着部には、第１嵌合孔よりも取手部側に、この第１嵌合孔に連なる第２嵌合孔が形成され、第２嵌合孔の内径は、大径部よりも大きいことが好ましい。
本発明では、ボトル本体の底部に把手の第２装着部を取り付ける際に、まず第２装着部の第２嵌合孔に係合突起をその小径部の基端部にまで挿通させて、その後、第２装着部を取手部側にスライドすることで、係合突起の小径部が第１嵌合孔に嵌合されることになる。したがって、把手の第２装着部を底部に容易にかつ確実に固定させることができる。
【発明の効果】
【００１０】
本発明の把手付ボトル容器によれば、取手部を持ってボトル本体を持ち上げたときに、このボトル本体をその底部側から第２装着部で支持することが可能になり、第１、第２装着部の間でボトル本体の重心位置がぐらつくのを抑えることができる。したがって、ボトル本体を把手に対して安定させることが可能になり、この把手付ボトル容器の取り扱い性が向上される。
【発明を実施するための最良の形態】
【００１１】
以下、本発明の把手付ボトル容器の実施の形態について、図１乃至図４に基づいて説明する。
【００１２】
本実施の形態による把手付ボトル容器１は、ボトル本体１０と、このボトル本体１０に取り付けられた把手２０とからなる。
図１及び図２に示すように、ボトル本体１０は、胴部１１と、胴部１１の上端部に連設されて上側に向かうにしたがい漸次縮径された肩部１２と、この肩部１２の上端部に連設されて上方に向けて延在した口部１４と、胴部１１の下端部に連設された底部１５とを備えている。
このうち胴部１１は、上側胴部１１Ａと下側胴部１１Ｂとからなる。そして、下側胴部１１Ｂ、口部１４、及び底部１５それぞれの中心軸線Ｏが共通軸上に位置されている。以下、この共通軸をボトル本体１０の中心軸線Ｏという。
なお、これら胴部１１、肩部１２、口部１４及び底部１５はそれぞれ、例えばポリエチレンテレフタレート（ＰＥＴ）等の合成樹脂により一体に形成されている。
【００１３】
上側胴部１１Ａは、前記中心軸線Ｏ方向に沿って延びる平面状の凹み面１１ａを備えている。この凹み面１１ａは、下側胴部１１Ｂの上端に、前記中心軸線Ｏ方向に沿って延びる凹曲面部１１ｂを介して設けられている。
【００１４】
下側胴部１１Ｂは、４つの主壁面が前記中心軸線Ｏまわりに連結部を介して連結された概略構成とされ、前記４つの主壁面のそれぞれに胴部１１の周方向に延びる凹溝１１ｃが中心軸線Ｏ方向に間隔をあけて複数（本実施の形態では、図１、図２に示すように４つ）形成されている。
そして、これらの主壁面のうち、上側胴部１１Ａの凹み面１１ａに前記中心軸線Ｏ方向で連なる壁面（以下、「対向面１１ｄ」という）には、後述する把手２０の取手部２３の幅および厚さと同等とされるとともに、下側胴部１１Ｂの上側及び底部１５側に開口した係合溝１１ｅがボトル本体１０の中心軸線Ｏ方向に沿って形成されている。
また、口部１４には、その下端部から上端部に向けて順次、径方向外方へ突出する環状リップ部１４ａと、膨出部１４ｂと、雄ねじ部１４ｃとがこの順に形成されている。
【００１５】
底部１５には、接地面１５ｂからボトル本体１０の径方向内方に向かうに従い漸次、前記中心軸線Ｏ方向の内方に向けて凹んだ凹部１５ａが形成されている。この凹部１５ａは、その中心部に形成されるとともに前記径方向に沿って延びる凹部底面１５ｃと、この凹部底面１５ｃの外周縁から接地面１５ｂに向けて延びる凹部傾斜部１５ｄとを備えている。接地面１５ｂには、下側胴部１１Ｂの対向面１１ｄに形成された前記係合溝１１ｅに連なる係合溝１５ｅが形成されている。この係合溝１５ｅには第２装着部２２の一部が係合され、底部１５の接地面１５ｂと面一、もしくは内方に位置するように収容されるようになっている。
【００１６】
さらに、図１に示すように、凹部１５ａの凹部底面１５ｃには、ボトル本体１０と同軸をなし、凹部底面１５ｃから前記中心軸線Ｏ方向外方に向けて突出した平面視円形状の係合突起１６が設けられている（図３参照）。
図４（ａ）及び（ｂ）に示すように、係合突起１６は、凹部底面１５ｃから下方に向けて小径部１６ａと大径部１６ｂとがこの順に突設され、底部１５と一体に形成されている。この係合突起１６の小径部１６ａには、後述する把手２０の第２装着部２２が係合することで取手部２３が固定される構成となっている。
【００１７】
図１及び図２に示すように、本実施の形態の把手２０は合成樹脂により形成され、ボトル本体１０の口部１４に、このボトル本体１０の径方向外方に向けて延在するように装着された第１装着部２１と、ボトル本体１０の底部１５において、接地面１５ｂよりも径方向内方に位置する部分に、径方向外方に向けて延在するように装着された第２装着部２２と、これらの第１、第２装着部２１、２２の各径方向外方端部を連結する取手部２３とを備えている。
【００１８】
第１装着部２１は、平板状をなし、例えば口部１４の基端部１３における外径寸法とほぼ同径で口部１４に嵌合可能とされていて、嵌合状態のときに口部１４から上方への移動を規制する複数の係止片を内周面に備えた円孔部、或いは平面視Ｃ型状をなす嵌合部を形成し、このような円孔部や嵌合部を口部１４に嵌合させる構成となっている。
第２装着部２２は、凹部底面１５ｃからこのボトル本体１０の径方向外方に向けて凹部傾斜部１５ｄおよび接地面１５ｂに沿って延在している。この第２装着部２２のうち凹部底面１５ｃ上に位置する部分には、その厚さ方向に貫通する大小２つの円孔がボトル本体１０の径方向に沿って形成されている。この小さい円孔を第１嵌合孔２２ａとし、大きい円孔を第２嵌合孔２２ｂとし、第２嵌合孔２２ｂは第１嵌合孔２２ａよりも取手部２３側に連なって形成されている。そして、第１嵌合孔２２ａの内径は、係合突起１６の小径部１６ａの外径とほぼ同じとされ、第２嵌合孔２２ｂの内径は、大径部１６ｂより大径とされる。
【００１９】
取手部２３は、前記中心軸線Ｏ方向と平行に延在し、第１装着部２１及び第２装着部２２の各径方向外方端を連結している。取手部２３は、前記凹み面１１ａの径方向外方に位置する把持部２３ａと、下側胴部１１Ｂ（対向面１１ｄの係合溝１１ｅ）に支持された状態で延在する胴部支持部２３ｂとを有している。そして、取手部２３の胴部支持部２３ｂは、係合溝１１ｅに係合した状態で、下側胴部１１Ｂの対向面１１ｄと面一、もしくは内方に位置するように収容されるようになっている。
【００２０】
次に、このような把手付ボトル容器１の組立て方法について図面に基づいて説明する。
先ず、図１及び図２に示すように、把手２０の第１装着部２１を口部１４に嵌め込み、取手部２３の胴部支持部２３ｂを、係合溝１１ｅに係合させる。
そして、図４に示すように、ボトル本体１０の底部１５に把手２０の第２装着部２２を取り付ける際に、まず第２装着部２２の第２嵌合孔２２ｂに係合突起１６をその小径部１６ａの基端部にまで挿通させて、その後、第２装着部２２を取手部２３側にスライドすることで、係合突起１６の小径部１６ａが第１嵌合孔２２ａに嵌合されることになる（図３参照）。
以上より、把手２０の第１装着部２１が口部１４に嵌着され、第２装着部２２が底部１５の凹部底面１５ｃに形成される係合突起１６に係合されると共に、取手部２３の胴部支持部２３ｂが下側胴部１１Ｂの係合溝１１ｅに係合されて支持された状態となり、ボトル本体１０に把手２０が取り付けられる。
【００２１】
次に、上記のように構成された実施の形態による把手付ボトル容器におけるブロー形成方法について説明する。
このボトル本体１０は、延伸ブロー成形によって成形されている。すなわち、ポリエチレンテレフタレート（ＰＥＴ）等の合成樹脂により形成された所定形状のプリフォームを、延伸可能な温度に加熱されたブロー成形金型内にセットして、このプリフォーム内にエアーを供給して中心軸線Ｏ方向及び径方向に向けて延伸させることで成形される。ここで、プリフォームには、係合突起１６がある。この係合突起１６はブロー成形してもほぼ延伸しないので、このままの状態で残ることになる。前記係合突起１６は、例えば、プリフォームを射出成形する際のゲート部分を利用して形成することができる。一般的に、前記ゲート部分は、プリフォーム、及びボトルの中心軸線Ｏ上に位置する。
【００２２】
上述した本実施の形態による把手付ボトル容器では、把手２０に第２装着部２２を設けたことから、取手部２３を持ってボトル本体１０を持ち上げたときに、このボトル本体１０をその底部１５側から第２装着部２２で支持することが可能になり、第１、第２装着部２１、２２の間でボトル本体１０の重心位置がぐらつくのを抑えることができる。したがって、ボトル本体１０を把手２０に対して安定させることが可能になり、この把手付ボトル容器１の取り扱い性が向上される。
【００２３】
また、取手部２３の少なくとも一部は、ボトル本体１０の胴部外面に支持されているので、胴部外面に接する取手部２３は、胴部１１によって支持されることになり、取手部２３を持ってボトル本体１０を持ち上げた際に、取手部２３に作用するボトル本体１０の径方向外方に向けた曲げ変形、及び第１、第２装着部２１、２２に作用するボトル本体１０の中心軸線Ｏ方向下方に向けた曲げ変形を抑制することができる。したがって、把手全体の肉厚を薄くして軽量化を図っても、この把手２０が破損し易くなるのを防ぐことができる。
【００２４】
さらに、胴部１１の外周面には、このボトルの中心軸線Ｏ方向に沿って延びる係合溝１１ｅが形成され、係合溝１１ｅに取手部２３が係合しているので、胴部１１と取手部２３との接触面積を十分に確保することが可能になり、前述した作用効果がより一層確実に奏効されることになる。
【００２５】
さらに、底部１５において、接地面１５ｂよりも径方向内方に位置する部分には、このボトルの中心軸線Ｏ方向外方に向けて小径部１６ａと大径部１６ｂとがこの順に連結された係合突起１６が突設され、第２装着部２２には、係合突起１６の小径部１６ａが嵌合する第１嵌合孔２２ａが形成されていることから、把手２０の第２装着部２２をボトル本体１０の係合突起１６に嵌合することで、取手部２３を持ってボトル本体１０を持ち上げて、このボトル本体１０を傾けたときに、把手２０に対してボトル本体１０が不安定になることを防ぐことが可能になり、把手２０をボトル本体１０の底部１５に確実に固定させることができる。
【００２６】
さらにまた、第２装着部２２には、第１嵌合孔２２ａよりも取手部２３側に、この第１嵌合孔２２ａに連なる第２嵌合孔２２ｂが形成され、第２嵌合孔２２ｂの内径は、大径部１６ｂよりも大きくい構成であるので、ボトル本体１０の底部１５に把手２０の第２装着部２２を取り付ける際に、まず第２装着部２２の第２嵌合孔２２ｂに係合突起１６をその小径部１６ａの基端部にまで挿通させて、その後、第２装着部２２を取手部２３側にスライドすることで、係合突起１６の小径部１６ａが第１嵌合孔２２ａに嵌合されることになる。したがって、把手２０の第２装着部２２を底部１５に容易にかつ確実に固定させることができる。
【００２７】
以上、本発明による把手付ボトル容器の実施の形態について説明したが、本発明は上記の実施の形態に限定されるものではなく、その趣旨を逸脱しない範囲で適宜変更可能である。
例えば、ボトル本体１０の形状などの構成は本実施の形態に限定されることはない。例えば、実施の形態では平面視で角を丸めた矩形状の胴部１１を有するボトル本体１０としているが、これに限定されず、例えば、円形状や多角形状の胴部を有するボトル本体にも適用可能である。そして、底部１５の凹部１５ａに形成されている係合突起１６の形状や、係合突起１６と第２装着部２２との取り付け構成も本実施の形態に限定されることはない。
また、前記実施の形態に代えて、係合突起１６は、ブロー成形時に、ブロー成形金型で形成するようにしてもよい。
【図面の簡単な説明】
【００２８】
【図１】本発明の実施の形態による把手付ボトル容器の概略構成図である。
【図２】図１に示す把手付ボトル容器であって、把手を正面から見た図である。
【図３】図１に示す把手付ボトル容器の底面図である。
【図４】把手の第２装着部を係合突起に取り付けた状態を示す図であって、（ａ）はその拡大断面図、（ｂ）は底から見た図である。
【符号の説明】
【００２９】
１  把手付ボトル容器
１０  ボトル本体
１１  胴部
１１ｅ  係合溝
１４  口部
１５  底部
１６  係合突起
１６ａ  小径部
１６ｂ  大径部
２０  把手
２１  第１装着部
２２  第２装着部
２２ａ  第１嵌合孔
２２ｂ  第２嵌合孔
２３  取手部
Ｏ  中心軸線
【図１】
2008133024.tif 000003
【図２】
2008133024.tif 000004
【図３】
2008133024.tif 000005
【図４】
2008133024.tif 000006